(57)【要約】      （修正有）【課題】果物に直接挿入する挿入手段と、その付属品と、荷重を得るための果物の内部引き裂き手段と、得られた果汁の消費又は利用のための様々な治具を固定する手段と、を有することを特徴とする、果汁を得る装置を提供する。【解決手段】フィルタを規定する吸引口を備え、果物に挿入される長尺管状体１を有する果汁を得る装置であって、長尺管状体は、果肉を粉砕する手段と、挿入止め具４と、上部開口と、を備えており、長尺管状体の上部開口は、噴霧器ヘッド、はけ、又は液適式果汁取り出し部材などの果汁取り出し部材と係合する継ぎ手となっている。【選択図】図１
0003189911.tif 000002
【実用新案登録請求の範囲】
【請求項１】
フィルタを規定する吸引口を備え、果物に挿入される長尺管状体（１）を有する果汁を得る装置であって、
前記長尺管状体（１）は、
果肉を粉砕する手段と、
挿入止め具と、
上部開口と、
を備えており、
前記長尺管状体の上部開口は、果汁取り出し部材と取り外し可能に係合する継ぎ手となっている、
ことを特徴とする果汁を得る装置。
【請求項２】
中空フィルタを構成する前記長尺管状体（１）は、その底部に閉鎖尖端を有する、
請求項１記載の果汁を得る装置。
【請求項３】
前記長尺管状体（１）は、外側螺旋刃（３）を有する、
請求項２記載の果汁を得る装置。
【請求項４】
前記果汁取り出し部材は、前記長尺管状体内に延びている浸漬管（７）に接続している噴霧ヘッド（６）を有する、
請求項１乃至３のいずれかに記載の果汁を得る装置。
【請求項５】
前記果汁取り出し部材は、はけ又は液滴式果汁取り出し部材である、
請求項１乃至３のいずれかに記載の果汁を得る装置。
【請求項６】
中空フィルタを構成する前記長尺管状体（１）の底部は、逆円錐形状である、
請求項１記載の果汁を得る装置。
【請求項７】
前記外側螺旋刃（３）は、前記フィルタの下端から前記挿入止め具まで前記フィルタの側部を取り巻くように延びている、
請求項３記載の果汁を得る装置。
【請求項８】
前記継ぎ手は、ねじ山（５）の形状を有する、
請求項１記載の果汁を得る装置。
【請求項９】
前記挿入止め具は、前記継ぎ手の下に位置する外輪又はフランジ（４）で構成されている、
請求項１記載の果汁を得る装置。
【請求項１０】
前記外輪（４）の下に複数の弾性材料長片を有し、果物に開けられた開口端を密閉するようになっている、
請求項９記載の果汁を得る装置。
【考案の詳細な説明】
【技術分野】
【０００１】
本考案は、果物に直接挿入する挿入手段と、その付属品と、果汁を得るための果物の内部引き裂き手段と、得られた果汁の消費又は利用のための様々な治具を固定する手段と、を有することを特徴とする、果汁を得る装置に関する。
【０００２】
本考案に関連する技術分野は台所用品および給食用具である。
【背景技術】
【０００３】
果物から果汁を直接抽出する装置はかなり前から知られている。その目的のために、これらの装置は果物に挿入される管状体を持っており、その外側端は口金になる。
【０００４】
現存する装置のいくつかは挿入箇所に一連の孔を持っており、果物からの果汁がそれらの孔から管内を通過できるようになっている。
【０００５】
英国特許第２４０４８４４号には、管の中にもう１本の管を有し、どちらの管も果汁が通る複数の孔を持っている装置が開示されている。その下端には、外管は果物を押しつぶすギザギザ仕上げがなされている。内管は、外管より広く止め具の機能を有する外輪により、ストローとして機能する上部円筒に接続されている。
【０００６】
国際公開特許ＷＯ９５１７１１９号には、果汁を通す孔を持ち果物に手で挿入される剛直ストロー、すなわち円筒状吐出口により形成された果汁を直接抽出する装置が開示されている。吐出口に沿った中間に吐出口より広い外輪が位置しており、外輪は下側に凹んでいて止め具兼密閉要素として機能するので、使用者がストローから吸い込むときに果物内に空気が入るのを防ぐ。
【０００７】
ドイツ実用新案８５２８３９６Ｕ号には、孔を持った逆円錐形容器とその容器を取り囲む螺旋末端を有する果汁抽出装置が開示されている。その上端にはより広幅の受け皿が設けられており、そこに抽出された果汁が集められる。
【０００８】
フランス特許７７４４５４号には、果汁抽出装置が開示されており、この装置は果物に挿入される管と、管に繋がっていて果肉を砕き果物を押しつぶす１対の刃と、それに果物に開けた孔をふさぐ役割をする鍔とで形成されていて、管には孔があり、管の一端は果物に突き刺さりやすいように尖っている。管の他端は口金の形状をしており、果物を押しつぶすと果汁はこの口金を通過する。
【０００９】
英国特許３４４２６０号には、孔あき円筒管製の果汁抽出装置が開示されており、管の一端は開いており、他端は開閉式になっている。開放端は果物への挿入が容易になるように尖っているが、他端すなわち外部端は開閉式で、管より広く止め具として機能する外輪に当接している。
【００１０】
英国特許第３５００９４号には、果汁の抽出を容易にする装置が開示されており、この装置は孔又は開口と尖端とを有する円筒管で形成されており、管を止め具として機能する外側の広幅環まで果物に対して下向きに突き刺すと、果物は押しつぶされ、果汁は開口に入り開放端から出てくる。
【００１１】
日本特許第９２９４６７２号には、果汁抽出器具が開示されており、この器具はその下端に水平刃と果汁が入り込む孔を有する先の尖った円筒体で形成されている。刃は円筒体を通過する。
【００１２】
さらに、ドイツ特許第３４０１９７３号と、英国特許第５１２３０９号と、米国特許第１４３２１６６号とは、引用された構成あるいは構造に従う果汁抽出装置を開示する最新の文献である。
【００１３】
果汁は直接直ちに消費されるためのものであってもよいが、給食にも使用することができる。したがって、様々な塗布装置、例えば、噴霧器、はけ、又は液滴式塗布器などを必要に応じて使用してもよい。
【考案の概要】
【考案が解決しようとする課題】
【００１４】
これらの塗布装置の多くは不純物を含まない果汁を前提としているので、塗布の前に果汁を濾過することが必須である。特別な用途に合わせ、使用前にフィルタをつけるのも便利である。
【００１５】
噴霧器の場合のように浸漬管を挿入するために内部の隙間を必要とする塗布装置もある。
【００１６】
ここに引用した背景技術は、どれもその底部に閉鎖された中空体を形成するという課題を解決していない。この中空体は吐出口およびフィルタとして同時に機能し、果物に挿入および固定が容易で、抽出された果汁の消費あるいは使用のために様々な装置がここに適合されるが、これらの装置が噴霧器の場合には、ジューサーに浸漬管を挿入することを必要とする。
【００１７】
ここに述べた問題点は提案された考案により解決される。
【課題を解決するための手段】
【００１８】
上記問題点を解決するため、本考案は、逆円錐形フィルタを規定する吸引口を備え、果物に挿入される長尺管状体を有する果汁を得る装置であって、長尺管状体は、果肉を粉砕する手段と、挿入止め具と、上部開口と、を備えており、上部開口は、果汁取り出し部材と係合する継ぎ手となっている、ことを特徴とする。
【００１９】
本考案によれば、中空フィルタを構成する長尺管状体は、その底部に閉鎖尖端を有し、外側螺旋刃を備えている。
【００２０】
果汁取り出し部材は、長尺管状体内に延びている浸漬管に接続している噴霧ヘッドで構成されている。
【００２１】
あるいは、果汁取り出し部材は、はけ又は液滴式果汁取り出し部材で構成されている。
【００２２】
外側螺旋刃は、フィルタの下端から挿入止め具までフィルタの側部を取り巻くように延びている。
【００２３】
一実施形態において、継ぎ手はねじ山の形状を有する。
【００２４】
前記挿入止め具は、継ぎ手の下に位置する外輪又はフランジで構成されている。
【００２５】
前記事項はそれぞれ、直感で理解できるかも知れないが、以下に述べる機能を達成する。
【００２６】
逆円錐長尺形状を有するフィルタは、その底部が閉鎖されており、果物へ突き刺しやすいような尖端を提供する。
【００２７】
この閉鎖されたフィルタは、果肉と、種と、および他の果物不純物とは外部に留まり、果汁のみが到達できる内部空間を規定する。
【００２８】
フィルタを取り囲む螺旋刃は、スクリュー効果を生じることによりフィルタの貫通を促進し、同時に貫通時に果肉を引き剥がして果汁を出し、フィルタが使用位置にあるときはフィルタの固定に寄与する。
【００２９】
フィルタの外側には、止め具として機能し装置の安定性を上げるのに寄与する特大環と、果汁の漏出を防止する密閉部材とが設けられている。
【００３０】
必要に応じて、この特大環の下に弾性材料製の複数の長片を設け、果物に開けられた開口端を密閉してもよい。
【００３１】
フィルタの上部開口は、噴霧器、はけ又は浸漬装置などの汎用装置を固定するための口金状の組み込み手段を備えている。
【図面の簡単な説明】
【００３２】
【図１】図１は、尖端（２）を有する中空フィルタ本体（１）と、フィルタ本体（１）を取り囲む外側螺旋刃（３）と、挿入止め具として機能する外輪（４）と、図示しない注入部材のための固定手段、ここではネジ（５）を有する口金の形状の中空フィルタ本体（１）の上部開口と、を示す図である。
【図２】図２は、螺旋刃（３）と外輪（４）とを有する中空フィルタ本体（１）の分解図である。本図には、注入部材、ここでは噴霧器（６）が描かれており、その浸漬管（７）は中空フィルタ本体（１）に挿入される。
【図３】図３は、どちらも果物に挿入される、果汁抽出装置と噴霧器（６）とにより形成される、組立品を示す図である。
【考案を実施するための形態】
【００３３】
以下、本考案にかかる一の実施の形態を説明する。なお、この実施の形態は考案の記述のためであって本考案を限定するものではない。
【００３４】
果汁を得る装置は、底部に逆円錐形状の閉鎖尖端を有する中空フィルタ本体と、中空フィルタ本体の外側の大半を取り巻くように延びている螺旋刃とを備え、中空フィルタの上部は開口して口金形状をしており、口金は、果汁を塗布又は注入するための装置、ここでは、噴霧器を固定する手段を備えており、さらに、口金の下に突出する外輪を備えている。
【００３５】
この実施の形態において、中空フィルタ本体は弾力がある自立性の材料で構成されており、その全長にわたって螺旋刃によって取り巻かれた支持体となっていて、果物に挿入されるようになっている。
【００３６】
この刃は中空フィルタ本体を果物に挿入するのに寄与し、フィルタを果物に固定し、かつ、果肉を粉砕して果汁を生成する。
【００３７】
この装置は、口金の下の外輪４が止め具として機能するまで果物に挿入され、挿入された装置の安定性に寄与し、開口端部周りの果汁の漏出を防ぐ。
【００３８】
必要であれば、果物と果汁を得る装置との間に存在する隙間を効果的に密閉するように、複数の弾性材料長片を輪の下に設けてもよい。
【００３９】
塗布装置又は注入部材を固定するための手段を備えている口金は、中空フィルタ本体の上部開口に設けられる。
【００４０】
本実施の形態において、塗布装置又は注入部材を固定する手段はネジであり、図に描かれている塗布装置は噴霧器である。
【図１】
0003189911.tif 000003
【図２】
0003189911.tif 000004
【図３】
0003189911.tif 000005